(57)【要約】【課題】くさび式足場の最上段部に短時間で容易に仮設することができる親綱支柱を提供する。【解決手段】くさび式足場５０の組み立て時に最上部の踏板８０よりも上側に突出する態様で取り付けられ、その突出する上部に親綱１０を張るための親綱支柱１であって、上下方向に延びる支柱本体２を有し、この支柱本体２には、くさび式足場５０の足場支柱６０に設けられたくさび受け６２Ａ〜６２Ｄに上方から挿入可能なくさび６が設けられている。【選択図】図１
2014155551.tif 000002
【特許請求の範囲】
【請求項１】
くさび式足場の組み立て時に最上部の踏板よりも上側に突出する態様で取り付けられ、その突出する上部に親綱を張るための親綱支柱であって、
上下方向に延びる支柱本体を有し、前記支柱本体には、前記くさび式足場の足場支柱に設けられたくさび受けに上方から挿入可能なくさびが設けられていることを特徴とする親綱支柱。
【請求項２】
前記支柱本体には、前記足場支柱の上下方向に間隔を空けて配置された複数の前記くさび受けのピッチに合わせて、少なくとも２つ以上の前記くさびが上下に設けられている請求項１に記載の親綱支柱。
【請求項３】
前記支柱本体には、前記足場支柱の手前側に位置する前記くさび受けと、この手前側のくさび受けから９０度回転した位置にある左側または右側の前記くさび受けとに挿入可能な２つの前記くさびが設けられ、
２つの前記くさびと前記支柱本体とを繋ぐ２つのアームが、手前側の前記くさび受けと、手前側の前記くさび受けから９０度回転した左側または右側の前記くさび受けとの間であって、約４５度の位置に前記支柱本体が配置されるように形成されている請求項１または請求項２に記載の親綱支柱。
【請求項４】
前記支柱本体には、前記足場支柱の手前側に位置する前記くさび受け、左側に位置する前記くさび受け、または右側に位置する前記くさび受けのうちのいずれか１つまたは複数に挿入可能な１つまたは複数の前記くさびが設けられ、
１つまたは複数の前記くさび受けと前記支柱本体とを繋ぐアームが、左右に位置する前記足場支柱を結ぶ線よりも奥側に前記支柱本体が配置されるように形成されている請求項１または請求項２に記載の親綱支柱。
【請求項５】
前記支柱本体には、手前側に位置する前記くさび受けと、手前側に位置する前記くさび受けから９０度回転した位置に配置された左右両側の前記くさび受けとの両方に挿入可能な３つの前記くさびが設けられ、
左右の２つの前記くさびのそれぞれと前記支柱本体とを繋ぐアームが、前記足場支柱の手前側に前記支柱本体が配置されるように形成されている請求項１または請求項２に記載の親綱支柱。
【発明の詳細な説明】
【技術分野】
【０００１】
本発明は、くさび式足場の組み立て作業時に、親綱を張るために用いられる親綱支柱に関する。
【背景技術】
【０００２】
建物の外装を修繕するなどのために、建物の外側を覆うように組み立てられる工事用の足場が知られている。この足場は、下側の１ユニット分が組み立てられた後に最上部に踏板が取り付けられ、この踏板よりも上側に次の１ユニットが組み立てられる。そして、これを繰り返すことで、最終的には建物の屋上に届く高さまで複数段のユニットが上下に組み上げられてゆく。
【０００３】
この上側の１ユニットを組み立てる際に、足場の最上部の踏板に立つ作業者が命綱を取り付けるための親綱支柱が仮設される。より詳細には、最上部の踏板よりも上側に突出するように複数の親綱支柱が間隔を空けて仮設され、これらの親綱支柱の上部をつなぐようにして略水平に親綱が張られる。作業者は、この親綱に命綱のフックを引っ掛けて足場組み立て作業の安全性を確保している。
【０００４】
従来の親綱支柱は、既に組み立てられた足場支柱に横側から宛がわれ、親綱支柱の下側部分を横方向からクランプによって挟み込み、このクランプをボルトで締結・固定するものがある。また、このクランプおよびボルトを親綱支柱に一体に構成し、仮設作業を軽減させるものも知られている（例えば、特許文献１参照）。
【先行技術文献】
【特許文献】
【０００５】
【特許文献１】実開平６−５６３２０号公報
【発明の概要】
【発明が解決しようとする課題】
【０００６】
親綱支柱は、上述した１ユニットを組み立てる毎にそれぞれ仮設する必要があり、そのユニットの組み立てが完了した後に取り外され、次の上側ユニットを組み立てる際に上側に持ち上げられて再度仮設される。この作業は上述した上下複数段分を繰り返し行う必要があり、親綱支柱の仮設・解体作業が短時間で容易に行えることが望まれる。
【０００７】
しかしながら、従来の固定方法および上述した特許文献１の技術では、クランプをボルトで固定・解除するものであるため、ボルトの締結作業に時間を要し、仮設作業を短時間で行うことが難しかった。
【０００８】
本発明は、上述した事情に鑑みてなされたものであり、その目的は、くさび式足場に短時間で容易に仮設することができる親綱支柱を提供するためのものである。
【課題を解決するための手段】
【０００９】
上述課題を解決するため、本発明は、くさび式足場の組み立て時に最上部の踏板よりも上側に突出する態様で取り付けられ、その突出する上部に親綱を張るための親綱支柱であって、上下方向に延びる支柱本体を有し、前記支柱本体には、前記くさび式足場の足場支柱に設けられたくさび受けに上方から挿入可能なくさびが設けられている。
【００１０】
また、前記支柱本体には、前記足場支柱の上下方向に間隔を空けて配置された複数の前記くさび受けのピッチに合わせて、少なくとも２つ以上の前記くさびが上下に設けられていてもよい。
【００１１】
さらに、前記支柱本体には、前記足場支柱の手前側に位置する前記くさび受けと、この手前側のくさび受けから９０度回転した位置にある左側または右側の前記くさび受けとに挿入可能な２つの前記くさびが設けられ、２つの前記くさびと前記支柱本体とを繋ぐ２つのアームが、手前側の前記くさび受けと、手前側の前記くさび受けから９０度回転した左側または右側の前記くさび受けとの間であって、約４５度の位置に前記支柱本体が配置されるように形成されていてもよい。
【００１２】
また、前記支柱本体には、前記足場支柱の手前側に位置する前記くさび受け、左側に位置する前記くさび受け、または右側に位置する前記くさび受けのうちのいずれか１つまたは複数に挿入可能な１つまたは複数の前記くさびが設けられ、１つまたは複数の前記くさび受けと前記支柱本体とを繋ぐアームが、左右に位置する前記足場支柱を結ぶ線よりも奥側に前記支柱本体が配置されるように形成されていてもよい。
【００１３】
さらにまた、前記支柱本体には、手前側に位置する前記くさび受けと、手前側に位置する前記くさび受けから９０度回転した位置に配置された左右両側の前記くさび受けとの両方に挿入可能な３つの前記くさびが設けられ、左右の２つの前記くさびのそれぞれと前記支柱本体とを繋ぐアームが、前記足場支柱の手前側に前記支柱本体が配置されるように形成されていてもよい。
【発明の効果】
【００１４】
本発明に係る親綱支柱では、上下方向に延びる支柱本体を有し、前記支柱本体には、前記くさび式足場の足場支柱に設けられたくさび受けに上方から挿入可能なくさびが設けられているので、くさびをくさび受けの位置に合わせて上側から挿入するだけで、親綱支柱を容易に仮設することができる。そのため、ボルトを用いてクランプを締結固定するなどの作業が不要であり、容易に短時間で親綱支柱を仮設・解体することができる。
【図面の簡単な説明】
【００１５】
【図１】本発明の実施の形態に係る親綱支柱をくさび式足場の足場支柱に組み付けた状態を示す概要図である。
【図２】図１のＡ−Ａ断面図である。
【図３】親綱支柱を単体で示す斜視図である。
【図４】くさび式足場の概要を示す斜視図である。
【図５】くさび式足場に使用される支柱を単体で示す図であって、（Ａ）は正面図、（Ｂ）は側面図、（Ｃ）はＢ−Ｂ断面図である。
【図６】第２の実施形態に係る親綱支柱であって、図１に対応するものである。
【図７】図６のＣ−Ｃ断面図である。
【図８】第３の実施の形態に係る親綱支柱であって、図１に対応するものである。
【図９】図８のＤ−Ｄ断面図である。
【図１０】第４の実施形態に係る親綱支柱の断面図であって、図２に対応するものである。
【図１１】くさび式足場の足場支柱に親綱支柱を仮設する位置を簡略に示す概略平面図である。
【発明を実施するための形態】
【００１６】
（第１実施形態）
以下、本発明の第１実施形態に係る親綱支柱１について、図面を用いて詳細に説明する。図１は、本発明の実施の形態に係る親綱支柱１をくさび式足場５０の足場支柱６０に組み付けた状態を示す概要図であり、図２は、図１のＡ−Ａ断面図である。また、図３は、親綱支柱１を単体で示す斜視図である。
なお、以下の説明で使用する前後、左右、上下、手前側、奥側の方向は、図１の右側から（建屋ＴＡがある側と反対側の正面から）親綱支柱１を見たときの方向をいうものとする。
【００１７】
親綱支柱１は、図１〜図３（特に図３参照）に示すように、上下方向に延在する柱状の支柱本体２と、この支柱本体２の下部に位置し、上下に間隔を空けて取り付けられた２つの支持部３、３と、支柱本体２の上端部に取り付けられた滑車部４とで構成されている。
【００１８】
支柱本体２は、その断面が中空円柱形状に形成されており、軽量かつ曲げ剛性が高いものが使用されている。なお、その断面形状は円柱形状に限られず、例えば中空角形（角柱）形状のものであってもよく、汎用されている中空丸棒や中空角パイプなどを利用したものであってもよい。
【００１９】
２つの支持部３は、それぞれ同一の構造であり、その上下方向の間隔は、支柱本体２に対して上下方向の位置を調整（詳細には、後述する足場支柱６０の上下に位置するくさび受け６２ＡのピッチＬと等しくなるように調整）して溶接或いはボルトなどで強固に固定されている。この支持部３は、支柱本体２の外周面に取り付けられる取付部５と、この取付部５に固定されたくさび６と、取付部５とくさび６とを繋ぐアーム１１とでそれぞれ構成されている。
【００２０】
取付部５は、図３に示すように、支柱本体２の外周に合わせてリング状に形成されている。また、くさび６は、図３に示すように、所定の厚みを有しており、取付部５から下側に向かって突出する態様で取り付けられている。このくさび６の形状は、上側から下側に向かうに従い幅が狭くなるように形成されており、詳細は後述するくさび受け６２Ａ〜６２Ｄの上側から下側に向かって打ち込まれるようになっている。アーム１１は、これらの取付部５とくさび６とを、打ち込み可能な範囲で最短に繋ぐ長さで形成されており、支柱本体２に作用する力に対して十分な剛性を有している。
【００２１】
滑車部４は、図１および図３に示すように、支柱本体２の上側外周面に取り付けられる固定部７と、固定部７の上端から上側に延在する２つのＬ字金具９Ａ、９Ｂと、これらのＬ字金具９Ａ、９Ｂの間に配置された滑車８とで構成されている。また、２つのＬ字金具９Ａ、９Ｂには、これらを繋ぐように回転軸８Ａが取り付けられており、滑車８は、この回転軸８Ａを中心にして回転可能に取り付けられている。
【００２２】
この滑車８には、図１に示すように、作業者が命綱を取り付けるための親綱１０が張設される。このように滑車８が自由に回転することで、容易に親綱１０が張られるようになる。また、２つのＬ字金具９Ａ、９Ｂは、図３に示すように、取り付けられた親綱１０の上方を覆うようにＬ字状にそれぞれ折り曲げられている。これにより、親綱１０が滑車８の上方から脱落するのを防止している。
【００２３】
このような親綱支柱１は、図１で示すようなくさび式足場５０（くさび緊結式足場ともいう）の足場支柱６０に取り付けられる。以下、くさび式足場５０の構造について簡単に説明する。図４は、くさび式足場５０の概要を示す斜視図であり、図５は、くさび式足場５０に使用される足場支柱６０の３面図である。
【００２４】
くさび式足場５０は、図４に示すように、複数の足場支柱６０、ブラケット７０および手すり９０を略格子状に立体的に組み立てることによって構成される。足場支柱６０の下端部には、足場支柱６０の上下位置を調整可能なジャッキベース５２が設けられ、このジャッキベース５２の下側には接地面（例えば、地面など）を保護する敷板５１が敷設される。
【００２５】
足場支柱６０は、図５（Ａ）〜図５（Ｃ）に示すように、上下方向に延在するポール６１と、このポール６１の外周面に強固に取り付けられた複数のくさび受け６２Ａ〜６２Ｄとで構成されている。このポール６１は、中空丸棒によって形成されており、その上部には、図５（Ａ）および図５（Ｂ）に示すように、径の小さい段付部６１Ａが形成されている。また、段付部６１Ａには、左右方向に貫通する上側取付穴６１Ｂが設けられている。さらに、ポール６１の下部には、左右に貫通する下側取付穴６１Ｃが設けられている。この段付部６１Ａには、上側に組み付けられるポール６１の下側が挿入され、取付穴６１Ｂ、６１Ｃの位置を合わせてボルト等で固定される。
【００２６】
くさび受け６２Ａ〜６２Ｄは、図５（Ｃ）に示すように、断面を上側から見て、ポール６１の円周方向に９０度の間隔を空けて４つが固定されている（手前側のくさび受けを符号６２Ａ、手前側から見て左側のくさび受けを符号６２Ｂ、右側を符号６２Ｃ、奥側を符号６２Ｄで示す）。また、くさび受け６２Ａ〜６２Ｄは、図５（Ａ）、図５（Ｂ）に示すように、ポール６１を挟んで対向する１対（６２Ａ、６２Ｄ）と他の１対（６２Ｂ、６２Ｃ）とが、高さ方向において少しずれて配置されている。この４つのくさび受け６２Ａ〜６２Ｄを１組として、ポール６１の高さ方向に所定のピッチＬ（間隔Ｌ）を空けて複数組（図４では、８組）が設けられている。
【００２７】
ブラケット７０には、その両端にくさび７１がそれぞれ設けられている。これらのくさび７１は、前後方向に隣り合う足場支柱６０のくさび受け６２Ａ或いは６２Ｄにそれぞれ打ち込まれる。これにより、くさび式足場５０の前後方向が固定される。
また、手すり９０にもその両端にくさび９１がそれぞれ設けられており、これらのくさび９１は、左右方向に隣り合う足場支柱６０のくさび受け６２Ｂ或いは６２Ｃに打ち込まれる。これにより、くさび式足場５０の左右方向が固定される。
これらのブラケット７０および手すり９０の取り付け位置や個数は、建物の形状や足場の強度によって任意に選択することができ、くさび受け６２Ａ〜６２Ｄの位置に合わせて最適な位置に適宜打ち込まれる。
【００２８】
また、左右に隣り合うブラケット７０には、図４に示すように、踏板８０が取り付けられる。この踏板８０は、左右の４カ所に設けられた連結フック８１をブラケット７０にそれぞれ上から引っ掛けることで取り付けられる。この踏板８０によって、くさび式足場５０の最上部に作業者が乗ることができるようになり、くさび式足場５０の下側の１ユニットが完成する。この作業を繰り返して上側に複数ユニットを組み上げることで、全体として建築物の側面を覆うようなくさび式足場５０が完成する。
【００２９】
このように組み立てられたくさび式足場５０では、手前側の足場支柱６０の手前側に位置するくさび受け６２Ａには、ブラケット７０や手すり９０のくさび７１、９１が取り付けられることはなく、いずれのくさび受け６２Ａも自由に利用することができる。また、足場支柱６０の一番上側に位置する４つのくさび受け６２Ａ〜６２Ｄには、図２に示すように、ブラケット７０が打ち込まれるくさび受け６２Ｄのみが使用され、他のくさび受け６２Ａ〜６２Ｃは使用されない。また、その下側（上側から二番目）に位置する４つのくさび受け６２Ａ〜６２Ｄは、ブラケット７０、手すり９０のいずれも取り付けられないので、いずれのくさび受け６２Ａ〜６２Ｄも自由に利用することができる。これらの使用されていないくさび受け６２Ａ〜６２Ｄを利用して、親綱支柱１のくさび６を打ち込み、親綱支柱１を仮設している。
【００３０】
次に、親綱支柱１の組み立て方法および作用について図１および図２を用いて説明する。
くさび式足場５０の一番下側の１ユニットが完成した後、作業者は下側のユニットの踏板８０に立った状態で、親綱支柱１を仮設する。このとき、仮設する親綱支柱１の滑車部４には、予め親綱１０を通しておく。親綱支柱１の２つのくさび６は、図２に示すように、足場支柱６０の手前側に位置するくさび受け６２Ａに打ち込まれる。また、図１に示すように、親綱支柱１の上下に位置する２つのくさび６を、足場支柱６０の上下２つのくさび受け６２Ａに打ち込むことで、上下２点でより強固かつ安定的に取り付ける。このようにして、手前側に位置する複数の足場支柱６０に、親綱支柱１を仮設してゆく。その後、滑車部４に予め通しておいた親綱１０を約３０ｋｇの張力で緊張させて親綱１０を張る。そして、作業者は、次の上側のユニットの踏板８０（最上段の踏板８０）に登って、この上側の１ユニットを組み立ててゆく。
【００３１】
この親綱支柱１の仮設作業の際、作業者は、下側の踏板８０の上に立ったままの姿勢でくさび６をくさび受け６２Ａの位置に合わせて打ち込むだけでよい。また、外すときも立ったままの姿勢で親綱支柱１を上側に引き抜くだけでよく、作業性がよい。また、作業者は、従来技術のようにフックを横側から宛がってボルトを締結・固定する必要がないため、親綱支柱１の仮設作業を短時間で容易に行えるようになる。
【００３２】
本発明の第１実施形態に係る親綱支柱１によれば、上下方向に延びる支柱本体２を有し、支柱本体２には、くさび式足場５０の足場支柱６０に設けられたくさび受け６２Ａに上方から挿入可能なくさび６が設けられているので、くさび６をくさび受け６２Ａの位置に合わせて上側から挿入するだけで、親綱支柱１を仮設することができる。そのため、クランプで固定するなどの作業がなく、親綱支柱１を容易に短時間で組み立て・解体することができる。これにより、親綱支柱１の仮設作業を効率良く短時間で行えるようになる。
【００３３】
また、支柱本体２には、足場支柱６０の上下方向に間隔を空けて配置された複数のくさび受け６２ＡのピッチＬに合わせて、少なくとも２つ以上のくさび６が上下に設けられているので、親綱支柱１を上下２点で取り付けることができる。そのため、親綱支柱１を足場支柱６０に強固に固定することができる。
【００３４】
（第２実施形態）
以下、本発明の第２の実施の形態に係る親綱支柱１０１について説明する。図６は、本発明の第２の実施の形態に係る親綱支柱１０１であって、図１に対応するものである。また、図７は、図６のＣ−Ｃ断面図である。なお、第１実施形態と同じ構造の箇所には、同一の符号を付して示す。以下、第１実施形態と異なる箇所についてのみ説明し、同一の構造についての説明は省略する。
【００３５】
親綱支柱１０１は、非常時に作業者の体重を支えるものであり、足場支柱６０により強固に取り付けられることが望まれる。そのため、第２実施形態に係る親綱支柱１０１は、図７に示すように、手前側のくさび受け６２Ａと左側のくさび受け６２Ｂの２つのくさび受けを用いて親綱支柱１０１を固定しようとするものである。
【００３６】
親綱支柱１０１は、上述した第１実施形態の支持部３の代わりに、上側支持部材１３１および下側支持部材１４１の２つが１組として使用されている。上側支持部材１３１は、図７に示すように支柱本体２に溶接等によって強固に取り付けられ、支柱本体２から横方向に延びる上側アーム１３２と、この上側アーム１３２の先端に取り付けられたくさび６とで構成されている。また、下側支持部材１４１についても同様に、下側アーム１４２とくさび６とによって構成されている。これらの上側支持部材１３１および下側支持部材１４１は、図６に示すように、これら２つを１組として上下方向に所定の間隔Ｌを空けて２カ所（２組）に配設されている。なお、上側支持部材１３１と下側支持部材１４１は、一体に構成されていてもよい。
【００３７】
上側アーム１３２および下側アーム１４２は、図７に示すように、支柱本体２が手前側のくさび受け６２Ａと左側に９０度回転した位置にある左側のくさび受け６２Ｂとの間であって、ほぼ等しい角度Ｒ（約４５度）の位置に配置されるように形成されている。これにより、支柱本体２を足場支柱６０に近接して配置することができる。
【００３８】
また、上側アーム１３２および下側アーム１４２の腕の長さは、ほぼ等しい長さで形成されている。支柱本体２を足場支柱６０とできるだけ近い位置に配置することで、上側アーム１３２および下側アーム１４２の長さが短くなるようにしている。このように構成することで、上側アーム１３２および下側アーム１４２に大きな曲げ力（モーメント力）が作用しないようにして、親綱支柱１０１に作用する力に耐え得るようにしている。
【００３９】
なお、図６および図７では、手前側のくさび受け６２Ａと左側のくさび受け６２Ｂとを用いて２点で固定するようにしているが、上側アーム１３２および下側アーム１４２を左右で勝手違いに形成することによって、手前側のくさび受け６２Ａと右側のくさび受け６２Ｃとを用いて２点で固定するようにしてもよい。
【００４０】
本発明の第２実施形態に係る親綱支柱１０１によれば、支柱本体２には、足場支柱６０の手前側に位置するくさび受け６２Ａと、この手前側のくさび受けから９０度回転した位置にある左側のくさび受け６２Ｂまたは右側のくさび受け６２Ｃとに挿入可能な２つのくさび６が設けられ、２つのくさび６と支柱本体２とを繋ぐ２つのアーム１３２、１４２が、手前側のくさび受け６２Ａと９０度回転した左側のくさび受け６２Ｂまたは右側のくさび受け５２Ｃとの間であって、約４５度の位置に支柱本体２が配置されるように形成されているので、第１実施形態の親綱支柱１と比較して、より強固に親綱支柱１０１を仮設することができる。また、作業者は、踏板８０の上で立ったままの姿勢で２つのくさび６をくさび受け６２Ａ、６２Ｂの位置に合わせて打ち込むことで、容易にかつ短時間で親綱支柱１０１を仮設することができる。
【００４１】
また、くさび６は、足場支柱６０の手前側の上下方向に所定のピッチＬ毎に設けられた複数のくさび受け６２Ａ、６２Ｂ（または６２Ｃ）のうち、少なくとも２つ以上のくさび受け６２Ａ、６２Ｂ（または６２Ｃ）に挿入されるように複数設けられているので、親綱支柱１０１を上下２点（合計４点）で取り付けることができる。そのため、より強固に固定することができる。
【００４２】
（第３実施形態）
第１、第２実施形態のように１点または２点で固定する構造以外であっても、手前側のくさび受け６２Ａ、および左右のくさび受け６２Ｂ、６２Ｃの全部を用いて３点で固定するようにしてもよい。以下、本発明の第３の実施の形態に係る親綱支柱２０１について説明する。図８は、本発明の第３の実施の形態に係る親綱支柱２０１であって、図１に対応するものである。また、図９は、図８のＤ−Ｄ断面図である。なお、第１実施形態と同じ構造の箇所には、同一の符号を付して示す。以下、第１実施形態と異なる箇所についてのみ説明し、同一の構造についての説明は省略する。
【００４３】
親綱支柱２０１は、上述した第１実施形態の支持部３の代わりに、上側支持部材２３１および下側支持部材２４１の２つが１組として使用されている。上側支持部材２３１は、図８に示すように支柱本体２に溶接等によって強固に取り付けられ、支柱本体２から横方向に延びる上側アーム２３２と、この上側アーム２３２の先端に取り付けられたくさび６とで構成されている。この上側支持部材２３１は、上述した第１実施形態の支持部３と同一の構成になる。また、下側支持部材２４１は、下側アーム２４２と２つのくさび６とによって構成されている。これらの上側支持部材２３１および下側支持部材２４１は、図８に示すように、これら２つを１組として上下方向に所定の間隔Ｌを空けて２カ所（２組）に配設されている。なお、上側支持部材２３１と下側支持部材２４１は、一体に構成されていてもよい。
【００４４】
下側アーム２４２は、図９に示すように、支柱本体２から左右に２つに分岐した形状をなしており、それぞれの先端部には、くさび受け６２Ｂ、６２Ｃと対応する位置にくさび６がそれぞれ設けられている。また、支柱本体２は、図９に示すように、手前側のくさび受け６２Ａよりもさらに手前側に配置されるようになり、下側アーム２４２の長さが左右で等しくなるように形成されている。このように構成することで、３つのくさび受け６２Ａ、６２Ｂ、６２Ｃに３つのくさび６をそれぞれ打ち込むことができ、より強固に親綱支柱２０１を仮設することができる。
【００４５】
本発明の第３実施形態に係る親綱支柱２０１によれば、支柱本体２には、手前側に位置するくさび受け６２Ａと、このくさび受け６２Ａから９０度回転した位置に配置された左右両側のくさび受け６２Ｂ、６２Ｃとの両方に挿入可能な３つのくさび６が設けられ、左右の２つのくさび６のそれぞれと支柱本体２とを繋ぐ上側アーム２３２と下側アーム２４２が、足場支柱６０の手前側に支柱本体２が配置されるように形成されているので、第１実施形態の親綱支柱１と比較して、より強固に親綱支柱２０１を仮設することができる。また、作業者は、踏板８０の上で立ったままの姿勢で３つのくさび６をくさび受け６２Ａ、６２Ｂ、６２Ｃのそれぞれの位置に合わせて打ち込むことで、容易にかつ短時間で親綱支柱１０１を仮設することができる。
【００４６】
また、くさび６は、足場支柱６０の手前側の上下方向に所定のピッチＬ毎に設けられた複数のくさび受け６２Ａ、６２Ｂ、６２Ｃに挿入されるように複数設けられているので、親綱支柱２０１を上下３点（合計６点）で取り付けることができる。そのため、より強固に固定することができる。
【００４７】
（第４実施形態）
以下、本発明の第４実施形態に係る親綱支柱３０１ついて説明する。図１０は、第４の実施形態に係る親綱支柱の断面図であって、図２に対応するものである。なお、第１実施形態と同じ構造の箇所には、同一の符号を付して示す。以下、第１実施形態と異なる箇所についてのみ説明し、同一の構造についての説明は省略する。
【００４８】
親綱支柱３０１は、図１０に示すように、第１実施例で記載した２つの支持部３の代わりに、２つの支持部３０３が使用されている。この２つの支持部３０３は、それぞれ同一の構造であり、その上下方向の間隔は、支柱本体２に対して上下方向の位置を足場支柱６０の上下に位置するくさび受け６２ＡのピッチＬと等しくなるように調整してあり、溶接或いはボルトなどで強固に固定されている。この支持部３０３は、支柱本体２の外周面に取り付けられる取付部３０５と、この取付部３０５に固定されたくさび６と、取付部３０５とくさび６とを繋ぐアーム３３１とでそれぞれ構成されている。
【００４９】
アーム３３１は、これらの取付部３０５とくさび６とを最短で繋ぐ長さで形成されており、支柱本体２に作用する力に対して十分な剛性を有している。くさび６は、図１０に示すように、手前側から見て左側のくさび受け６２Ｂに打ち込まれる。また、アーム３３１は、左右方向に並設された足場支柱６０を結ぶ線５３よりも奥側（足場支柱６０よりも奥側。踏板８０側）に支柱本体２が配置されるように形成されている。これにより、親綱支柱３０１の上側に張られる親綱１０は、足場支柱６０を結んだ線５３よりも奥側に張られるようになる。
【００５０】
ここで、親綱１０が足場支柱６０を結んだ線５３よりも奥側に張られることの利点について図１１を用いて説明する。図１１は、くさび式足場の足場支柱に親綱支柱を仮設する位置を簡略に示す概略平面図である。くさび式足場５０は、建屋ＴＡの外側を覆うように組み立てられ、足場支柱６０は、建屋ＴＡの壁面に沿って間隔Ｘを空けて並設される。また、親綱支柱３０１は、複数の足場支柱６０のうちの３〜４個置きに間隔Ｙを空けて取り付けられ、それぞれの親綱支柱３０１の上部に親綱１０が張られる。なお、図１１において容易に理解できるように、足場支柱６０のみが立設された箇所を白色の円で表示し、親綱支柱３０１が取り付けられた足場支柱６０を黒色の円で表示する。
【００５１】
また、足場支柱６０の上下方向の長さは種々のものがあり、図４で示す足場支柱６０は１ユニット分が組み立てられる長さで表示しているが、長いものでは、１本の足場支柱６０で２ユニット分の高さを賄うものもある。そのため、１ユニットを組み立てる際に、親綱支柱２０１よりも足場支柱６０の方が上側に突出している場合がある。
【００５２】
作業者は、命綱のフックを親綱１０に引っ掛けて、親綱１０に沿って水平に移動しながら組み立て作業を行う。このとき、親綱１０が足場支柱６０を結んだ線５３よりも手前側にあると、移動する際に上側に突出する足場支柱６０にフックが当たるため、作業者は間隔Ｘだけしか移動することができない。そのため、足場支柱６０の間隔Ｘを超えて移動する場合には、一端フックを外して隣の親綱１０に付け替えなければならない。
【００５３】
一方、親綱１０が足場支柱６０を結んだ線５３よりも奥側にあると、移動する際にフックが足場支柱６０に当たらないので、作業者は、フックを付け替えることなく親綱支柱３０１の間隔Ｙの長さだけ移動することができる。そのため、フックを付け替えずに移動可能な範囲が長くなり、作業を効率良く行うことができる。
【００５４】
なお、図１０で示す構造では、親綱支柱３０１のくさび６を左側のくさび受け６２Ｂに打ち込むようにしているが、アーム３３１を左右で勝手違いに形成することによって、右側のくさび受け６２Ｃに打ち込むようにすることもできる。また、アーム３３１の形状によっては、手前側のくさび受け６２Ａのみに打ち込むようにして、支柱本体２を奥側に配置することもできる。さらには、くさび受け６２Ａ〜６２Ｃのうちいずれか２つ或いは３つを利用してくさび６を打ち込むように構成することもできる。
【００５５】
本発明の第４実施形態に係る親綱支柱３０１によれば、支柱本体２には、足場支柱６０の手前側に位置するくさび受け６２Ａ、左側に位置するくさび受け６２Ｂ、または右側に位置するくさび受け６２Ｃのうちのいずれか１つまたは複数に挿入可能な１つまたは複数のくさび６が設けられ、１つまたは複数のくさび受け６２Ａ〜６２Ｃと支柱本体２とを繋ぐアーム３３１が、左右に位置する足場支柱６０を結ぶ線よりも奥側に支柱本体２が配置されるように形成されているので、作業者は、フックを付け替えずに親綱１０に沿って長い距離（間隔Ｙ）を移動することができるようになる。そのため、支柱本体２を手前側に配置する場合と比較して、足場組み立て作業を効率的に行うことができる。また、作業者は、踏板８０の上で立ったままの姿勢で３つのくさび６をくさび受け６２Ａ、６２Ｂ、６２Ｃのそれぞれの位置に合わせて打ち込むことで、第１〜第３実施形態の効果と同様に、容易にかつ短時間で親綱支柱１０１を仮設することができる。
【符号の説明】
【００５６】
１、１０１、２０１、３０１  親綱支柱
２  支柱本体
３  支持部
４  滑車部
５  取付部
６  くさび
７  固定部
８  滑車
８Ａ  回転軸
９Ａ、９Ｂ  Ｌ字金具
１０  親綱
１１  アーム
５０  くさび式足場
５１  敷板
５２  ジャッキベース
５３  足場支柱を結んだ線
５４  親綱の中心線
６０  足場支柱
６１  ポール
６１Ａ  段付部
６１Ｂ  上側取付穴
６１Ｃ  下側取付穴
６２Ａ、６２Ｂ、６２Ｃ、６２Ｄ  くさび受け
７０  ブラケット
７１  くさび
８０  踏板
８１  連結フック
９０  手すり
９１  くさび
１３１、２３１  上側支持部
１３２、２３２  上側アーム
１４１、２４１  下側支持部
１４２、２４２  下側アーム
３０３  支持部
３０５  取付部
３３１  アーム
Ｌ  ピッチ、間隔
Ｒ  角度
【図１】
2014155551.tif 000003
【図２】
2014155551.tif 000004
【図３】
2014155551.tif 000005
【図４】
2014155551.tif 000006
【図５】
2014155551.tif 000007
【図６】
2014155551.tif 000008
【図７】
2014155551.tif 000009
【図８】
2014155551.tif 000010
【図９】
2014155551.tif 000011
【図１０】
2014155551.tif 000012
【図１１】
2014155551.tif 000013
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
上下に延在する複数の足場支柱を前後左右に連結して建屋の外側を覆うように略格子状に立体的に組み立てられるくさび式足場の組み立て時に、前記くさび式足場の内側に配設される最上部の踏板よりも上側に突出させてその上部に親綱を張るための親綱支柱を取り付けるための親綱支柱の取付構造であって、
前記足場支柱には、平面視において前記足場支柱の周方向に９０度の間隔を空けて４つのくさび受けが設けられ、前記親綱支柱の支柱本体には、４つの前記くさび受けのいずれかに打ち込まれて前記親綱支柱を前記足場支柱に対して固定するためのくさびが設けられており、
前記くさびが前記くさび受けに打ち込まれた状態で、前記親綱支柱が、左右に位置する前記足場支柱を結んだ線よりも前記踏板側に配置され、前記親綱が前記足場支柱よりも前記踏板側で張られるようにしたことを特徴とする親綱支柱の取付構造。
【請求項２】
前記親綱支柱が、左右に並設された前記足場支柱のうちの複数個置きに取り付けられていることを特徴とする請求項１に記載の親綱支柱の取付構造。
【請求項３】
前記支柱本体には、４つの前記くさび受けのうちの前記踏板側に向いて配置されるくさび受けを除く３つの前記くさび受けのいずれかに対応する少なくとも２つ以上の前記くさびが設けられ、
３つの前記くさび受けのいずれか２つ以上に前記くさびが打ち込まれるようにしたことを特徴とする請求項１または請求項２に記載の親綱支柱の取付構造。
【手続補正３】
【補正対象書類名】明細書
【補正対象項目名】０００１
【補正方法】変更
【補正の内容】
【０００１】
本発明は、くさび式足場の組み立て作業時に、親綱を張るために用いられる親綱支柱を足場支柱に取り付けるための親綱支柱の取付構造に関する。
【手続補正４】
【補正対象書類名】明細書
【補正対象項目名】０００８
【補正方法】変更
【補正の内容】
【０００８】
本発明は、上述した事情に鑑みてなされたものであり、その目的は、くさび式足場に短時間で容易に仮設することができる親綱支柱の取付構造を提供するためのものである。
【手続補正５】
【補正対象書類名】明細書
【補正対象項目名】０００９
【補正方法】変更
【補正の内容】
【０００９】
上述課題を解決するために、本発明は、上下に延在する複数の足場支柱を前後左右に連結して建屋の外側を覆うように略格子状に立体的に組み立てられるくさび式足場の組み立て時に、前記くさび式足場の内側に配設される最上部の踏板よりも上側に突出させてその上部に親綱を張るための親綱支柱を取り付けるための親綱支柱の取付構造であって、前記足場支柱には、平面視において前記足場支柱の周方向に９０度の間隔を空けて４つのくさび受けが設けられ、前記親綱支柱の支柱本体には、４つの前記くさび受けのいずれかに打ち込まれて前記親綱支柱を前記足場支柱に対して固定するためのくさびが設けられており、前記くさびが前記くさび受けに打ち込まれた状態で、前記親綱支柱が、左右に位置する前記足場支柱を結んだ線よりも前記踏板側に配置され、前記親綱が前記足場支柱よりも前記踏板側で張られるようにしたことを特徴とする。
【手続補正６】
【補正対象書類名】明細書
【補正対象項目名】００１０
【補正方法】変更
【補正の内容】
【００１０】
また、前記親綱支柱が、左右に並設された前記足場支柱のうちの複数個置きに取り付けられていてもよい。
【手続補正７】
【補正対象書類名】明細書
【補正対象項目名】００１１
【補正方法】変更
【補正の内容】
【００１１】
さらに、前記支柱本体には、４つの前記くさび受けのうちの前記踏板側に向いて配置されるくさび受けを除く３つの前記くさび受けのいずれかに対応する少なくとも２つ以上の前記くさびが設けられ、３つの前記くさび受けのいずれか２つ以上に前記くさびが打ち込まれるようにしてもよい。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本発明に係る親綱支柱の取付構造では、上下方向に延びる支柱本体を有し、前記支柱本体には、前記くさび式足場の足場支柱に設けられたくさび受けに上方から挿入可能なくさびが設けられているので、くさびをくさび受けの位置に合わせて上側から挿入するだけで、親綱支柱を容易に仮設することができる。そのため、ボルトを用いてクランプを締結固定するなどの作業が不要であり、容易に短時間で親綱支柱を仮設・解体することができる。
また、作業者は、隣り合う親綱支柱の間でフックを付け替えずに親綱に沿って長い距離を移動することができるようになる。そのため、支柱本体を手前側に配置する場合と比較して、足場組み立て作業を効率的に行うことができる。

【手続補正１１】
【補正対象書類名】明細書
【補正対象項目名】００５５
【補正方法】変更
【補正の内容】
【００５５】
本発明の第４実施形態に係る親綱支柱３０１の取付構造によれば、支柱本体２には、足場支柱６０の手前側に位置するくさび受け６２Ａ、左側に位置するくさび受け６２Ｂ、または右側に位置するくさび受け６２Ｃのうちのいずれか１つまたは複数に挿入可能な１つまたは複数のくさび６が設けられ、１つまたは複数のくさび受け６２Ａ〜６２Ｃと支柱本体２とを繋ぐアーム３３１が、左右に位置する足場支柱６０を結ぶ線よりも奥側に支柱本体２が配置されるように形成されているので、作業者は、フックを付け替えずに親綱１０に沿って長い距離（間隔Ｙ）を移動することができるようになる。そのため、支柱本体２を手前側に配置する場合と比較して、足場組み立て作業を効率的に行うことができる。また、作業者は、踏板８０の上で立ったままの姿勢で３つのくさび６をくさび受け６２Ａ、６２Ｂ、６２Ｃのそれぞれの位置に合わせて打ち込むことで、第１〜第３実施形態の効果と同様に、容易にかつ短時間で親綱支柱３０１を仮設することができる。